(57)【要約】【課題】  ＴＶ会議システムにおいて共有したホワイトボードの描画中に、端末の負荷を軽減し、ユーザ操作に支障をきたさないようにする。【解決手段】  複数の端末がネットワークに接続され、各端末間で映像・音声等の複数種類のメディアによるデータ送受信が行われるＴＶ会議システムを用いる。このＴＶ会議システムにおいて、ホワイトボード共有等の電子会議機能利用状況を判別し、描画中は端末の負荷を軽減するように自動で映像の撮像処理、送受信処理及び映像の表示処理を変更する。【選択図】  図３
2007214808.tif 000002
【特許請求の範囲】
【請求項１】
複数の端末がネットワークに接続され、映像及び音声を含む複数種類のメディアによるデータ送受信が各端末間で行われるＴＶ会議システムにおいて、
前記各端末それぞれが画面の共有及び描画の共有を行う電子会議を行うための手段と、
前記電子会議の機能の利用状況を判別する手段と、
前記利用状況により映像の撮像処理、送受信処理及び映像の表示処理を自動で変更する手段とを備えることを特徴とするＴＶ会議システム。
【請求項２】
前記利用状況により映像の撮像処理、送受信処理及び映像の表示処理を自動で変更を行うのは、予め指定された端末の電子会議の機能の利用状況のみであることを特徴とする請求項１に記載のＴＶ会議システム。
【請求項３】
前記端末に電子会議を利用するための複数の入力手段を備え、
前記利用状況により映像の撮像処理、送受信処理及び映像の表示処理を自動で変更を行うのは、予め登録された入力手段からの電子会議の機能の利用状況のみであることを特徴とする請求項１に記載のＴＶ会議システム。
【請求項４】
複数の端末がネットワークに接続され、映像及び音声を含む複数種類のメディアによるデータ送受信を各端末間で行うデータ処理方法において、
前記各端末で行われる電子会議の機能の利用状況を判別する工程と、
前記利用状況により映像の撮像処理、送受信処理及び映像の表示処理を自動で変更する工程とを備えることを特徴とするデータ処理方法。
【請求項５】
複数の端末がネットワークに接続され、映像及び音声を含む複数種類のメディアによるデータ送受信を各端末間で行うことをコンピュータに実行させるコンピュータプログラムであって、
前記各端末で行われる電子会議の機能の利用状況を判別する工程と、
前記利用状況により映像の撮像処理、送受信処理及び映像の表示処理を自動で変更する工程とをコンピュータに実行させることを特徴とするコンピュータプログラム。
【発明の詳細な説明】
【技術分野】
【０００１】
本発明は、ＴＶ会議システム、データ処理方法及びコンピュータプログラムに関し、特に、複数のユーザの間で、データ及び表示画面の共有により遠隔会議を行うために用いて好適なものである。
【背景技術】
【０００２】
従来から、ＴＶ会議システムに画面の共有やホワイトボードの共有等を行って、データを共有する機能は一般的に付随している。
例えば米マイクロソフト社の基本ソフトであるＷｉｎｄｏｗｓ（登録商標）にもＮｅｔＭｅｅｔｉｎｇ（登録商標）と呼ばれるＴＶ会議（電話）機能がある。このＴＶ会議機能には、映像音声による通信はもちろんのこと、アプリケーションの共有や、ホワイトボードの共有（描画共有）等を行う電子会議機能も付加されている。
【０００３】
また、ＴＶ会議としてではないが、特開平９−１４９３９４号公報（特許文献１）において、画像通信システムとして開示されている。特開平９−１４９３９４号公報では、通常はＭＰＥＧ等の動画を送信するが、処理能力の低い端末には静止画（ＪＰＥＧ）を送信することが開示されている。
【０００４】
また、特開２００４−７５６１号公報（特許文献２）には、対話者モード端末と観察者モード端末が開示されている。対話者モード端末間は通常のＴＶ会議として動作する。観察者モード端末には、その対話の様子のうち、選択した情報のみを編集して送信する。
さらに、特開２００４−２８２７８５号公報（特許文献３）には、複数の動画像を表示する装置であって、表示画面上に複数の動画ソースを静止画として表示しておき、ユーザによって選択された静止画に対応する動画を表示するというものが開示されている。
【０００５】
【特許文献１】特開平９−１４９３９４号公報
【特許文献２】特開２００４−７５６１号公報
【特許文献３】特開２００４−２８２７８５号公報
【発明の開示】
【発明が解決しようとする課題】
【０００６】
しかしながら、従来の技術では、映像処理（撮像・送受信・表示）の処理の負荷について、画面の共有やホワイトボードの共有等の電子会議機能に与える影響が考慮されていない。このため、端末のスペックが十分でない場合に、多人数での会議中の映像・音声処理を行うと、ホワイトボードの共有中の描画処理に遅延が生じる等して電子会議機能が阻害されてしまう恐れがあった。
【０００７】
特開平９−１４９３９４号公報に記載の技術においては、単に処理能力の低い端末に対して動画から静止画に切り替えているのみで、ユーザの実際の使用状況に合わせて画像を切り替えているわけではない。
【０００８】
また、特開２００４−７５６１号公報に記載の技術では、予め端末毎に対話者か観察者か決め、観察者には観察者用データを送信するようにしているが、ユーザの実際の使用状況に合わせて役割が自動的に変動するわけではない。
さらに、特開２００４−２８２７８５号公報に記載の技術では、ユーザが意図的に動画を選択して表示するようにしているが、ユーザの操作に応じて自動で動画表示を切り替えているわけではない。
【０００９】
本発明はかかる問題点に鑑みてなされたものであり、ＴＶ会議システムにおいて、ユーザの使用状況に合わせて端末側の映像処理を自動で切り替え、端末の負荷を軽減してユーザの操作に支障をきたさないようにすることを目的とする。
【課題を解決するための手段】
【００１０】
この課題を解決するために本発明のＴＶ会議システムは、複数の端末がネットワークに接続され、映像及び音声を含む複数種類のメディアによるデータ送受信が各端末間で行われるＴＶ会議システムにおいて、前記各端末それぞれが画面の共有及び描画の共有を行う電子会議を行うための手段と、前記電子会議の機能の利用状況を判別する手段と、前記利用状況により映像の撮像処理、送受信処理及び映像の表示処理を自動で変更する手段とを備えることを特徴とする。
【００１１】
また、本発明のデータ処理方法は、複数の端末がネットワークに接続され、映像及び音声を含む複数種類のメディアによるデータ送受信を各端末間で行うデータ処理方法において、前記各端末で行われる電子会議の機能の利用状況を判別する工程と、前記利用状況により映像の撮像処理、送受信処理及び映像の表示処理を自動で変更する工程とを備えることを特徴とする。
【００１２】
また、本発明のコンピュータプログラムは、複数の端末がネットワークに接続され、映像及び音声を含む複数種類のメディアによるデータ送受信を各端末間で行うことをコンピュータに実行させるコンピュータプログラムであって、前記各端末で行われる電子会議の機能の利用状況を判別する工程と、前記利用状況により映像の撮像処理、送受信処理及び映像の表示処理を自動で変更する工程とをコンピュータに実行させることを特徴とする。
【発明の効果】
【００１３】
本発明によれば、電子会議、特にアノテーション（ペン入力）等の描画中に映像の撮像処理、送受信処理及び映像の表示処理を減らすことにより、端末の負荷を軽減し、ユーザ操作に支障をきたさないようにするという効果が得られる。
また、アノテーション（ペン入力）等の描画中に、映像の送受信処理及び映像の表示処理を減らす（例えば映像の表示フレームレートを落とすことや完全にオフにする、又は表示サイズを小さくする）。これにより、映像表示に対する他のユーザの意識を低くし、相対的に描画操作への注目度を上げるという効果が得られる。
【発明を実施するための最良の形態】
【００１４】
（第１の実施形態）
以下、添付の図面に沿って本発明の第１の実施形態を説明する。
図１は、本実施形態におけるＴＶ会議システムの全体構成の一例を示す図である。
図において、端末装置１０１、１０２は、その内部に通信機能を有し、ネットワーク１０４に接続されている。端末装置１０１、１０２は、パーソナルコンピュータ（ＰＣ）によって構成され、ＴＶ会議システム端末装置用プログラムによって動作する。端末装置は３台以上ネットワーク１０４に接続されてもよい。
【００１５】
サーバ装置１０３は、端末装置１０１、１０２と同様に、その内部に通信機能を有し、インターネット１０４に接続されている。なお、サーバ装置１０３は、サーバ用コンピュータによって構成され、ＴＶ会議システムサーバ装置用プログラムによって動作する。
図２は、サーバ装置１０３の内部構成の一例を示したブロック図である。サーバ装置１０３は、上述したようにサーバ用コンピュータによって構成され、ＴＶ会議システムサーバ装置用プログラムデータによって動作する。
【００１６】
具体的に、サーバ装置１０３は、ＣＰＵ２０１、ＲＯＭ２０２、ＲＡＭ２０３、内部記憶装置２０４、外部記憶装置２０５、ネットワークＩ／Ｆ２０６、及び入力機器Ｉ／Ｆ２０７を具備している。さらにサーバ装置１０３は、ディスプレイＩ／Ｆ２０８、キーボード２０９、マウス２１０、ディスプレイ２１１、及びシステムバス２１２を具備している。これらサーバ装置１０３の各ブロック２０１〜２１１は、ネットワークＩ／Ｆ２０６及びシステムバス２１２を介してネットワーク１０４に接続されている。
ＣＰＵ２０１は、サーバ用コンピュータ全体の制御に加えて、電話会議システムサーバ装置用プログラムデータが指示する処理を行うものである。
【００１７】
ＲＯＭ（Ｒｅａｄ  Ｏｎｌｙ  Ｍｅｍｏｒｙ）２０２は、読出し専用メモリである。ＲＯＭ２０２には、使用者が電気的にプログラムを書き込むことができるＰＲＯＭ（Ｐｒｏｇｒａｍｍａｂｌｅ  ＲＯＭ）と、製造するときに内容を書き込むマスクＲＯＭとがあるが、本実施形態においては何れのＲＯＭであってもよい。
【００１８】
ＲＡＭ（Ｒａｎｄｏｍ  Ａｃｃｅｓｓ  Ｍｅｍｏｒｙ）２０３は、データの書き込みと読出しとを自由にできるメモリである。ＲＡＭ２０３は、本実施形態の処理を行う際に一時的にデータを蓄える等の機能を有する。
内部記憶装置２０４は、情報をサーバ装置１０３内で記憶するための装置である。内部記憶装置２０４の例としては、ハードディスク等がある。内部記憶装置２０４には、電子会議機能を備えたＴＶ会議システムサーバ装置用プログラムが格納されると共に、ＴＶ会議システムサーバ装置用プログラムデータの動作に必要なデータや、ユーザーデータベース情報や、会議予約情報等が格納される。
【００１９】
外部記憶装置２０５は、サーバ装置１０３とは別個のメディアについて情報の読書きを行う。外部記憶装置２０５としては、例えば、ＦＤドライブ、ＭＯドライブ、ＣＤ−ＲＷ、及びＤＶＤ−ＲＷドライブ等を用いることができる。
ネットワークインタフェース（ネットワークＩ／Ｆ）２０６は、ネットワーク１０４に接続するための通信制御を処理する。通常、サーバ装置１０３はインターネット基幹網に近いインターネットサービスプロバイダのＮＯＣ（Ｎｅｔｗｏｒｋ  Ｏｐｅｒａｔｉｏｎ  Ｃｅｎｔｅｒ）に設置される。このため、本実施形態のネットワークＩ／Ｆ２０６は、通信インターフェースとしてＮＯＣのルーターに接続するための高速イーサーネットインタフェースを備えて構成される。
【００２０】
入力機器インターフェース（入力機器Ｉ／Ｆ）２０７は、サーバ装置１０３が具備するキーボード２０９やマウス２１０等からの入力を処理するものであり、サーバ装置１０３の操作に用いられるものである。尚、入力機器Ｉ／Ｆ２０７は、なくてもＴＶ会議システムの動作に支障はない。
ディスプレイインターフェース（ディスプレイＩ／Ｆ）２０８及びディスプレイ２１１は表示部であり、ＣＲＴ又は液晶ディスプレイ等の表示装置と、その表示装置の制御回路とによって構成される。サーバ装置１０３の動作状況はこのＣＲＴ又は液晶ディスプレイ等の表示装置の表示画面上の一部に表示されるものである。尚、ディスプレイＩ／Ｆ２０８及びディスプレイ２１１は、なくてもＴＶ会議システムの動作に支障はない。
【００２１】
システムバス２１２は、サーバ装置１０３内の各ブロック２０１〜２０８間の各種データのやりとりを行ったり、電力の供給を行ったりするものである。システムバス２１２は、アドレス線、データ線、制御線、及び電源・グラウンド線等からなる。
【００２２】
図３は、本実施形態におけるＴＶ会議端末装置１０１、１０２のハードウェアの構成の一例を示す図である。
端末装置１０１、１０２の主な構成機器としては、まず、パーソナルコンピュータ本体（ＰＣ本体）３０１がある。また、カメラ３０５は、パーソナルコンピュータ本体３０１に備わっているＵＳＢ端子等に接続されるＵＳＢカメラ等である。
また、ディスプレイ３０４、キーボード３０３、マウス３０２、音声出力装置（スピーカ等）３０６、音声入力装置（マイク等）３０７、及びデジタイザ３０８等はそれぞれパーソナルコンピュータ本体３０１に備わっている入出力端子に接続される。
【００２３】
図４は、ＴＶ会議端末装置１０１、１０２として利用するパーソナルコンピュータ本体３０１の内部構成の一例を示す図である。
パーソナルコンピュータ本体３０１は、ＴＶ会議システム端末装置用プログラムによって動作する。
具体的にパーソナルコンピュータ本体３０１は、ＣＰＵ４０１、ＲＯＭ４０２、ＲＡＭ４０３、内部記憶装置４０４、外部記憶装置４０５、ネットワークＩ／Ｆ４０６、入力機器Ｉ／Ｆ４０７、及びディスプレイＩ／Ｆ４０８を具備している。さらに、パーソナルコンピュータ本体３０１は、撮像装置Ｉ／Ｆ４０９、音声入出力Ｉ／Ｆ４１０、キーボード３０３、マウス３０２、デジタイザ３０８、ディスプレイ３０４、及びシステムバス４１３を具備している。この他、パーソナルコンピュータ本体３０１には、カメラ３０５、マイク３０７、スピーカ３０６、第１のペン（ペン１）４１１、及び第２のペン（ペン２）４１２が接続される。これらパーソナルコンピュータ本体３０１の各ブロック３０２〜３０８、４０１〜４１２は、ネットワークＩ／Ｆ４０６及びシステムバス４１３を介してネットワーク１０４に接続されている。
【００２４】
ＣＰＵ４０１は、パーソナルコンピュータ全体の制御に加えて、電子会議機能を備えたＴＶ会議システム端末装置用プログラムデータが指示する処理を行う。
ＲＯＭ（Ｒｅａｄ  Ｏｎｌｙ  Ｍｅｍｏｒｙ）４０２は、読出し専用メモリである。ＲＯＭ４０２には、使用者が電気的にプログラムを書き込むことができるＰＲＯＭ（Ｐｒｏｇｒａｍｍａｂｌｅ  ＲＯＭ）と、製造するときに内容を書き込むマスクＲＯＭとがあるが、本実施形態においては何れのＲＯＭであってもよい。
【００２５】
ＲＡＭ（Ｒａｎｄｏｍ  Ａｃｃｅｓｓ  Ｍｅｍｏｒｙ）４０３は、データの書き込みと読出しとを自由にできるメモリである。ＲＡＭ４０３は、本実施形態の処理を行う際に一時的にデータを蓄える等の機能を有する。
内部記憶装置４０４は、情報を端末装置１０１、１０２内で記憶するための装置である。内部記憶装置の例としては、ハードディスク等がある。内部記憶装置４０４は、電子会議機能を備えたＴＶ会議システム端末装置用プログラムデータが格納されると共に、ＴＶ会議システム端末装置用プログラムデータの動作に必要なデータの格納を行う。
【００２６】
外部記憶装置４０５は、端末装置１０１、１０２とは別個のメディアについて情報の読書きを行う。外部記憶装置４０５としては、例えば、ＦＤドライブ、ＭＯドライブ、ＣＤ−ＲＷドライブ、及びＤＶＤ−ＲＷドライブ等を用いることができる。
ネットワークインタフェース（ネットワークＩ／Ｆ）４０６は、インターネットやイントラネット等のネットワークに接続するための通信制御を処理するが、ユーザの環境に応じて様々通信インターフェースが適用される。
【００２７】
ネットワークＩ／Ｆ４０６は、アクセス網に直接接続する場合には、各種モデムやターミナルアダプタ等で構成され、外部装置のＡＤＳＬモデムやケーブルモデムに接続する場合には、イーサーネット（登録商標）インタフェースで構成される。
入力機器インターフェース（入力機器Ｉ／Ｆ）４０７は、端末装置１０１、１０２が具備するキーボード３０３、マウス３０２、及びデジタイザ３０８等からの入力を処理するものであり、端末装置１０１、１０２の操作に用いられるものである。
【００２８】
ディスプレイインターフェース（ディスプレイＩ／Ｆ）４０８及びディスプレイ３０４は表示部である。この表示部は、表示装置とその表示装置の制御回路とによって構成される。端末装置１０１、１０２の動作状況は、この表示装置の表示画面上の一部に表示されるものである。尚、表示装置としては、ＣＲＴ、液晶ディスプレイ、プラズマディスプレイ、ＳＥＤ（Surface-conduction Electron-emitter Display）、フロントプロジェクタ及びリアプロジェクションテレビがある。
【００２９】
撮像装置インターフェース（撮像装置Ｉ／Ｆ）４０９及びカメラ３０５は、端末装置１０１、１０２近辺の実画像の撮像に用いられるものであり、ＵＳＢやＩＥＥＥ１３９４等のインターフェースによりカメラ３０５と接続される。
【００３０】
音声入出力機器インターフェース（音声入出力機器Ｉ／Ｆ）４１０は、端末装置１０１、１０２が具備するマイク等の音声入力装置３０７、スピーカ等の音声出力装置３０６からの入出力を処理するものである。この音声入出力機器Ｉ／Ｆ４１０は、端末装置１０１、１０２において音声通話を行う際に用いられるものである。
【００３１】
第１のペン（ペン１）４１１及び第２のペン（ペン２）４１２は、デジタイザ３０８に接続され、デジタイザ３０８の入力手段として用いられる。デジタイザ３０８は、第１のペン（ペン１）４１１及び第２のペン（ペン２）の入力をどちらのペンで描画されているのかを判別することが可能である。
【００３２】
システムバス４１３は、端末装置１０１、１０２内の各ブロック４０１〜４１０間の各種データのやりとりを行ったり、電力の供給を行ったりするものである。システムバス４１３は、アドレス線、データ線、制御線、及び電源・グラウンド線等からなる。
【００３３】
図５は、端末装置１０１、１０２のディスプレイ３０４に表示されるＴＶ会議システム画面の表示例を示す図である。
図５において、５０１はＴＶ会議画面全体を示す。５０２は他の端末装置又は自端末装置のカメラ３０５で撮影された映像表示部分である。５０３はホワイトボード共有機能の描画表示部分である。
【００３４】
図６は、描画を行う際の映像表示の切り替えの様子の一例を示す図である。
図６において、６０１は映像部分の表示を縮小して示している図である。当然撮像の際の画像サイズもカメラ３０５又は撮像装置Ｉ／Ｆ４０９で縮小されている。
６０２は映像部分の表示をオフにしている図である。当然撮像処理の動作を停止させ、映像の送受信も行わない。また、表示オフによる送受信の停止を行わずに、フレームレート等を変更することによる表示処理を行ってもよい。
【００３５】
６０３は映像部分の画像を粗くして表示している図である。当然撮像の際の画像サイズもカメラ３０５又は撮像装置Ｉ／Ｆ４０９で粗いままにしており、当然画像圧縮後の画像データサイズも小さくなる。
【００３６】
図７は、図１に示したサーバ装置１０３に保存されている端末情報テーブルの一部を示す図である。尚、図７では、本実施形態の説明で必要な部分のみを記載している。
図中Ｆ７０１のＩＤは端末装置１０１、１０２を識別するための一意なＩＤである、Ｆ７０２は端末装置１０１、１０２の名称を表している。Ｆ７０３は描画優先を行うか否かを示す情報である。
【００３７】
図８は、端末装置１０１、１０２毎に描画優先度を設定した場合の端末装置１０１の動作の一例を示すフローチャートである。
まず、ステップＳ８０１において会議が開始すると、ステップＳ８０２に進む。
ステップＳ８０２において、サーバ装置１０３を介した画像送受信処理を開始してステップＳ８０３に進む。
【００３８】
ステップＳ８０３において、単位時間、例えば１０秒程度の間の描画の有無を判定する。このステップＳ８０３では、自端末装置１０１、及びサーバ装置１０３を介して描画の処理情報を通知してくる他の端末装置１０２も含む描画の有無を判定する。この判定の結果、描画があればステップＳ８０４に進む。
ステップＳ８０４において、端末装置１０１は自端末装置１０１からの描画であるか否かを判定し、自端末装置１０１からの描画でなければステップＳ８０５に進む。
ステップＳ８０５において、端末装置１０１はサーバ装置１０３に保存されている端末情報テーブルより（図７を参照）、現在描画動作を行っている端末装置の描画優先情報を取得して、ステップＳ８０６に進む。
【００３９】
ステップＳ８０６において、端末装置１０１は描画を優先する端末装置の描画処理であるか否かを判定し、描画を優先する端末装置からの描画であれば、ステップＳ８０７に進む。
ステップＳ８０７において、図６の６０１、６０２、６０３に示したような映像処理を行い、ステップＳ８０８に進む。
ステップＳ８０８において、会議の終了か否かを判定し、会議の終了であれば、ステップＳ８０９に進み、会議の終了処理を行い終了する。
【００４０】
ステップＳ８０３において描画がない場合、ステップＳ８０４において自端末装置の描画である場合、ステップＳ８０６において描画優先端末装置でない場合には、ステップＳ８１０に進む。
ステップＳ８１０において、もしステップＳ８０７で映像処理の変更を行っていたらその処理を元に戻してステップＳ８０８に進む。
ステップＳ８０８において、会議の終了でなければステップＳ８０３に戻る。
【００４１】
（第２の実施形態）
次に、本発明の第２の実施形態について説明する。なお、以下の説明において、第１の実施形態と同一の部分については、図１〜図８に付した符号と同一の符号を付して詳細な説明を省略する。
図９は、図１に示したサーバ装置１０３に保存されているペン情報テーブルの一部を示す図である。尚、図９では、本実施形態の説明で必要な部分のみを記載している。
図９において、Ｆ９０１ＩＤはペン４１１、４１２を識別するための一意なＩＤである。Ｆ９０２は端末装置１０１、１９２の名称を表している。Ｆ９０３はペン番号をあらわしている。Ｆ９０４は描画優先を行うか否かを示す情報である。
【００４２】
図１０は、入力デバイス毎に描画優先度を設定した場合の端末装置１０１の動作の一例を示すフローチャートである。
まず、ステップＳ１００１において会議が開始すると、ステップＳ１００２に進む。
ステップＳ１００２において、サーバ装置１０３を介した画像送受信処理を開始してステップＳ１００３に進む。
【００４３】
ステップＳ１００３において、単位時間、例えば１０秒程度の間の描画の有無を判定する。このステップＳ１００３では、自端末装置１０１、及びサーバ装置１０３を介して描画の処理情報を通知してくる他の端末装置１０２も含む描画の有無を判定する。この判定の結果、描画があればステップＳ１００４に進む。
ステップＳ１００４において、端末装置１０１は自端末装置１０１からの描画であるか否かを判定し、自端末装置１０１からの描画でなければステップＳ１００５に進む。
【００４４】
ステップＳ１００５において、端末装置１０１はサーバ装置１０３に保存されているペン情報テーブルより（図９を参照）、現在描画動作を行っている端末装置とペン情報を元に、描画動作を行っているペンの描画優先情報を取得して、ステップＳ１００６に進む。
ステップＳ１００６において、端末装置１０１は描画を優先するペンによる描画処理であるか否かを判定し、描画を優先するペンからの描画であれば、ステップＳ１００７に進む。
【００４５】
ステップＳ１００７において、図６の６０１、６０２、６０３に示すような映像処理を行い、ステップＳ１００８に進む。
ステップＳ１００８において、会議の終了か否かを判定し、会議の終了であれば、ステップＳ１００９に進み、会議の終了処理を行い終了する。
【００４６】
ステップＳ１００３において描画がない場合、ステップＳ１００４において自端末装置の描画である場合、ステップＳ１００６において描画優先端末でない場合には、ステップＳ１０１０に進む。
ステップＳ１０１０において、もしＳ１００７で映像処理の変更を行っていたらその処理を元に戻してＳ１００８に進む。
ステップＳ１００８において、会議の終了でなければステップＳ１００３に戻る。
【００４７】
（本発明の他の実施形態）
前述した実施形態の機能を実現するべく各種のデバイスを動作させるように、該各種デバイスと接続された装置あるいはシステム内のコンピュータに対し、前記実施形態の機能を実現するためのソフトウェアのプログラムコードを供給してもよい。そのシステムあるいは装置のコンピュータ（ＣＰＵあるいはＭＰＵ）に格納されたプログラムに従って前記各種デバイスを動作させることによって実施したものも、本発明の範疇に含まれる。
【００４８】
また、この場合、前記ソフトウェアのプログラムコード自体が前述した実施形態の機能を実現することになる。また、そのプログラムコード自体、及びそのプログラムコードをコンピュータに供給するための手段、例えば、かかるプログラムコードを格納した記録媒体は本発明を構成する。かかるプログラムコードを記憶する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００４９】
また、コンピュータが供給されたプログラムコードを実行することにより、前述の実施形態の機能が実現されるだけでない。そのプログラムコードがコンピュータにおいて稼働しているオペレーティングシステムあるいは他のアプリケーションソフト等と共同して前述の実施形態の機能が実現される場合にもかかるプログラムコードは本発明の実施形態に含まれることは言うまでもない。
【００５０】
さらに、供給されたプログラムコードがコンピュータの機能拡張ボードに備わるメモリに格納された後、そのプログラムコードの指示に基づいてその機能拡張ボードに備わるＣＰＵが実際の処理の一部または全部を行う。その処理によって前述した実施形態の機能が実現される場合にも本発明に含まれることは言うまでもない。
また、供給されたプログラムコードがコンピュータに接続された機能拡張ユニットに備わるメモリに格納された後、そのプログラムコードの指示に基づいて機能拡張ユニットに備わるＣＰＵ等が実際の処理の一部または全部を行う。その処理によって前述した実施形態の機能が実現される場合にも本発明に含まれることは言うまでもない。
【００５１】
なお、前述した各実施形態は、何れも本発明を実施するにあたっての具体化の例を示したものに過ぎず、これらによって本発明の技術的範囲が限定的に解釈されてはならないものである。すなわち、本発明はその技術思想、またはその主要な特徴から逸脱することなく、様々な形で実施することができる。
【図面の簡単な説明】
【００５２】
【図１】本発明の第１の実施形態を示し、ＴＶ会議システムの全体構成の一例を示す図である。
【図２】本発明の第１の実施形態を示し、サーバ装置の内部構成の一例を示すブロック図である。
【図３】本発明の第１の実施形態を示し、ＴＶ会議端末装置のハードウェアの構成の一例を示す図である。
【図４】本発明の第１の実施形態を示し、ＴＶ会議端末装置として利用するパーソナルコンピュータ本体の内部構成の一例を示す図である。
【図５】本発明の第１の実施形態を示し、端末装置のディスプレイに表示されるＴＶ会議システム画面の表示例を示す図である。
【図６】本発明の第１の実施形態を示し、描画を行う際の映像表示の切り替えの様子の一例を示す図である。
【図７】本発明の第１の実施形態を示し、端末優先情報テーブルの一例を示す図である。
【図８】本発明の第１の実施形態を示し、端末装置毎に描画優先度を設定した場合の端末装置の動作の一例を示すフローチャートである。
【図９】本発明の第２の実施形態を示し、ペン情報テーブルの一例を示す図である。
【図１０】本発明の第２の実施形態を示し、入力デバイス毎に描画優先度を設定した場合の端末装置１０１の動作の一例を示すフローチャートである。
【符号の説明】
【００５３】
１０１  端末装置
１０２  端末装置
１０３  サーバ装置
１０４  ネットワーク
２０１  ＣＰＵ
２０２  ＲＯＭ
２０３  ＲＡＭ
２０４  内部記憶装置
２０５  外部記憶装置
２０６  ネットワークＩ／Ｆ
２０７  入力制御Ｉ／Ｆ
２０８  ディスプレイＩ／Ｆ
２０９  キーボード
２１０  マウス
２１１  ディスプレイ
３０１  ＰＣ本体
３０２  マウス
３０３  キーボード
３０４  ディスプレイ
３０５  カメラ
３０６  スピーカ
３０７  マイク
３０８  デジタイザ
４０１  ＣＰＵ
４０２  ＲＯＭ
４０３  ＲＡＭ
４０４  内部記憶装置
４０５  外部記憶装置
４０６  ネットワークＩ／Ｆ
４０７  入力制御Ｉ／Ｆ
４０８  ディスプレイＩ／Ｆ
４０９  撮像装置Ｉ／Ｆ
４１０  音声入出力Ｉ／Ｆ
４１０  第１のペン
４１２  第２のペン
５０１  ＴＶ会議画面全体
５０２  映像表示
５０３  描画表示
【図１】
2007214808.tif 000003
【図２】
2007214808.tif 000004
【図３】
2007214808.tif 000005
【図４】
2007214808.tif 000006
【図５】
2007214808.tif 000007
【図６】
2007214808.tif 000008
【図７】
2007214808.tif 000009
【図８】
2007214808.tif 000010
【図９】
2007214808.tif 000011
【図１０】
2007214808.tif 000012